(57)【要約】【課題】画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置を提供すること。【解決手段】相手先装置６０は、ファクシミリデータ６３に含まれる画像データに基づいて、記録用紙７１に画像を形成すると共に、その記録用紙７１に付加された無線タグ７２に、ファクシミリデータ６３に含まれる無線タグデータを書き込む。このようにすれば、ファクシミリ装置１からファクシミリ送信した原稿６１の画像と、その原稿６１に付加された無線タグ６２に書き込まれていた無線タグデータとを、相手先装置６０において、記録用紙７１とその記録用紙７１に埋め込まれた無線タグ７２とにページ単位で記録し再現することができる。【選択図】図３
2008211710.tif 000002
【特許請求の範囲】
【請求項１】
原稿の画像データを読み取る読取手段と、
原稿に付加された無線タグから無線タグデータの読み出しを行う無線タグ読出手段と、
前記読取手段により読み取られた画像データと、前記無線タグ読出手段により読み出した無線タグデータとを対応付けて送信する送信手段とを備えたことを特徴とする通信装置。
【請求項２】
前記送信手段による送信の相手先装置に関し、無線タグへ情報を書き込む機能の有無についての機能情報を取得する機能情報取得手段と、
その機能情報取得手段により取得した機能情報に基づいて、前記読取手段により読み取られた画像データと、前記無線タグ読出手段により読み出した無線タグデータとを処理するデータ処理手段とを備えることを特徴とする請求項１記載の通信装置。
【請求項３】
前記機能情報取得手段により取得した機能情報が、無線タグへ情報を書き込む機能有を示すものであることを条件として、前記データ処理手段は、前記読取手段により読み取られた画像データと、前記無線タグ読出手段により読み出した無線タグデータとを対応付けて、前記送信手段により送信することを特徴とする請求項２記載の通信装置。
【請求項４】
前記機能情報取得手段により取得した機能情報が、無線タグへ情報を書き込む機能無しを示すものであることを条件として、前記データ処理手段は、前記送信手段による無線タグデータの送信を禁止し、前記読取手段により読み取られた画像データをメモリに保存するものであることを特徴とする請求項２または３に記載の通信装置。
【請求項５】
前記機能情報取得手段により取得した機能情報が、無線タグへ情報を書き込む機能無しを示すものであることを条件として、前記データ処理手段は、前記無線タグ読出手段により読み出した無線タグデータを対応付けずに、前記読取手段により読み取られた画像データを、前記送信手段により送信することを特徴とする請求項２または３に記載の通信装置。
【請求項６】
前記機能情報取得手段により取得した機能情報が、無線タグへ情報を書き込む機能無しを示すものであることを条件として、前記データ処理手段は、前記読取手段により読み取られた画像データを前記送信手段により送信するか、あるいは、前記読取手段により読み取られた画像データをメモリに保存するかをユーザに問い合わせ、その問い合わせに対するユーザの応答に従って、前記画像データを処理することを特徴とする請求項２または３に記載の通信装置。
【請求項７】
前記送信手段は、前記無線タグデータを送信する場合、その無線タグデータを、前記画像データよりも先に送信することを特徴とする請求項１から６のいずれかに記載の通信装置。
【請求項８】
前記送信手段は、画像データと無線タグデータとを、原稿のページ毎に対応付けて送信するものであり、各無線タグデータを、対応する画像データよりも先に送信することを特徴とする請求項１から６のいずれかに記載の通信装置。
【請求項９】
前記無線タグ読出手段により読み出した無線タグデータのデータサイズに関するサイズ情報を、送信の相手先装置へ通知するデータサイズ通知手段を備えることを特徴とする請求項１から８のいずれかに記載の通信装置。
【請求項１０】
前記送信手段は、画像データと無線タグデータとを、原稿のページ毎に対応付けて送信するものであり、
前記データサイズ通知手段は、１ページ分の原稿に対応する無線タグデータのデータサイズのうち、最大のデータサイズをサイズ情報として通知することを特徴とする請求項９記載の通信装置。
【請求項１１】
データを受信する受信手段と、
その受信手段により受信したデータに含まれる画像データに基づいて、記録媒体に画像を形成する画像形成手段と、
その画像形成手段により画像が形成される記録媒体に付加された無線タグに、前記受信手段により受信したデータに含まれる無線タグデータを書き込む無線タグ書込手段とを備えたことを特徴とする通信装置。
【請求項１２】
前記受信手段により受信するデータに含まれる前記無線タグデータのデータサイズに関するサイズ情報を取得するサイズ情報取得手段と、
そのサイズ情報取得手段により取得したサイズ情報に従って、前記受信手段により受信したデータに含まれる無線タグデータを特定する無線タグデータ特定手段とを備えることを特徴とする請求項１１記載の通信装置。
【請求項１３】
前記受信手段により、画像データと無線タグデータとがページ毎に対応付けられたデータを複数ページ分受信する場合、前記サイズ情報取得手段は、各ページ毎の無線タグデータのデータサイズのうち、最大のデータサイズに相当するサイズ情報を取得することを特徴とする請求項１２記載の通信装置。
【請求項１４】
前記画像形成手段により画像を形成可能な記録媒体に付加されている無線タグについて、その無線タグの書き込み可能容量を検出する記録媒体検出手段と、
その記録媒体検出手段により検出された無線タグの書き込み可能容量と、前記サイズ情報取得手段により取得したサイズ情報とに基づいて、前記画像形成手段により画像を形成し、前記無線タグ書込手段により無線タグデータを書き込む記録媒体を選択する記録媒体選択手段を備えたことを特徴とする請求項１２または１３に記載の通信装置。
【請求項１５】
前記記録媒体選択手段は、前記サイズ情報取得手段により取得したサイズ情報が、前記受信手段により受信するデータに、前記無線タグデータが含まれないことを示す値であることを条件として、前記無線タグが付加されていない記録媒体、または書き込み可能容量が最も小さい無線タグが付加された記録媒体を、前記画像形成手段により画像を形成する記録媒体として選択するものであることを特徴とする請求項１４記載の通信装置。
【請求項１６】
前記記録媒体検出手段により検出された無線タグの書き込み可能容量と、前記サイズ情報取得手段により取得したサイズ情報とに基づいて、前記無線タグデータを書き込み可能な記録媒体があるかを判断する記録媒体有無判断手段と、
その記録媒体有無判断手段により、前記無線タグデータを書込可能な記録媒体がないことが判断されると、前記受信手段による受信を拒否する受信拒否手段とを備えたことを特徴とする請求項１２から１５のいずれかに記載の通信装置。
【発明の詳細な説明】
【技術分野】
【０００１】
本発明は通信装置に関し、特に、画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置に関するものである。
【背景技術】
【０００２】
電話番号やファクシミリ番号などが記録された無線タグを名刺に埋め込み、この名刺から電話番号やファクシミリ番号を読み取って発信する技術が提案されている。
【特許文献１】特開２００５−３４８０２７号公報
【発明の開示】
【発明が解決しようとする課題】
【０００３】
しかしながら、無線タグに記録されたデータ自体を、通信回線を介して送受信する際の具体的利用法はほとんど提案されておらず、無線タグの利用可能性が十分に発揮されていないという問題点があった。
【０００４】
本発明は、上記問題点を解決するためになされたものであり、画像データと無線タグデータとを対応付けて送信することができ、または、受信したデータに画像データと無線タグデータとが含まれる場合、その画像データに基づいて記録媒体に画像を形成し、且つその記録媒体に付加された無線タグに無線タグデータを書き込むことができる通信装置を提供することを目的としている。
【課題を解決するための手段】
【０００５】
この目的を達成するために、請求項１記載の通信装置は、原稿の画像データを読み取る読取手段と、原稿に付加された無線タグから無線タグデータの読み出しを行う無線タグ読出手段と、前記読取手段により読み取られた画像データと、前記無線タグ読出手段により読み出した無線タグデータとを対応付けて送信する送信手段とを備えたことを特徴とする。
【０００６】
ここでいう無線タグとは、非接触でデータの読み書きが可能な記録媒体であって、ＩＣタグ、ＲＦＩＤ（Ｒａｄｉｏ  Ｆｒｅｑｕｅｎｃｙ  Ｉｄｅｎｔｉｆｉｃａｔｉｏｎ）タグとも称されるものである。また、原稿に付加された無線タグとは、原稿に貼付された無線タグだけではなく、例えば、原稿に埋め込まれた無線タグも含む。
【０００７】
請求項２記載の通信装置は、請求項１記載の通信装置において、前記送信手段による送信の相手先装置に関し、無線タグへ情報を書き込む機能の有無についての機能情報を取得する機能情報取得手段と、その機能情報取得手段により取得した機能情報に基づいて、前記読取手段により読み取られた画像データと、前記無線タグ読出手段により読み出した無線タグデータとを処理するデータ処理手段とを備えることを特徴とする。
【０００８】
請求項３記載の通信装置は、請求項２記載の通信装置において、前記機能情報取得手段により取得した機能情報が、無線タグへ情報を書き込む機能有を示すものであることを条件として、前記データ処理手段は、前記読取手段により読み取られた画像データと、前記無線タグ読出手段により読み出した無線タグデータとを対応付けて、前記送信手段により送信することを特徴とする。
【０００９】
請求項４記載の通信装置は、請求項２または３に記載の通信装置において、前記機能情報取得手段により取得した機能情報が、無線タグへ情報を書き込む機能無しを示すものであることを条件として、前記データ処理手段は、前記送信手段による無線タグデータの送信を禁止し、前記読取手段により読み取られた画像データをメモリに保存するものであることを特徴とする。
【００１０】
請求項５記載の通信装置は、請求項２または３に記載の通信装置において、前記機能情報取得手段により取得した機能情報が、無線タグへ情報を書き込む機能無しを示すものであることを条件として、前記データ処理手段は、前記無線タグ読出手段により読み出した無線タグデータを対応付けずに、前記読取手段により読み取られた画像データを、前記送信手段により送信することを特徴とする。
【００１１】
請求項６記載の通信装置は、請求項２または３に記載の通信装置において、前記機能情報取得手段により取得した機能情報が、無線タグへ情報を書き込む機能無しを示すものであることを条件として、前記データ処理手段は、前記読取手段により読み取られた画像データを前記送信手段により送信するか、あるいは、前記読取手段により読み取られた画像データをメモリに保存するかをユーザに問い合わせ、その問い合わせに対するユーザの応答に従って、前記画像データを処理することを特徴とする。
【００１２】
請求項７記載の通信装置は、請求項１から６のいずれかに記載の通信装置において、前記送信手段は、前記無線タグデータを送信する場合、その無線タグデータを、前記画像データよりも先に送信することを特徴とする。
【００１３】
請求項８記載の通信装置は、請求項１から６のいずれかに記載の通信装置において、前記送信手段は、画像データと無線タグデータとを、原稿のページ毎に対応付けて送信するものであり、各無線タグデータを、対応する画像データよりも先に送信することを特徴とする。
【００１４】
請求項９記載の通信装置は、請求項１から８のいずれかに記載の通信装置において、前記無線タグ読出手段により読み出した無線タグデータのデータサイズに関するサイズ情報を、送信の相手先装置へ通知するデータサイズ通知手段を備えることを特徴とする。
【００１５】
請求項１０記載の通信装置は、請求項９記載の通信装置において、前記送信手段は、画像データと無線タグデータとを、原稿のページ毎に対応付けて送信するものであり、前記データサイズ通知手段は、１ページ分の原稿に対応する無線タグデータのデータサイズのうち、最大のデータサイズをサイズ情報として通知することを特徴とする。
【００１６】
なお、無線タグデータが複数ページの原稿の各々に対応付けられ、且つ、各ページ毎の無線タグデータのデータサイズが均一である場合は、その均一のデータサイズが最大のデータサイズに相当する。１ページの原稿のみ無線タグデータが対応付けられている場合は、その１ページの原稿に対応付けられた無線タグデータのデータサイズが、最大のデータサイズに相当する。
【００１７】
請求項１１記載の通信装置は、データを受信する受信手段と、その受信手段により受信したデータに含まれる画像データに基づいて、記録媒体に画像を形成する画像形成手段と、その画像形成手段により画像が形成される記録媒体に付加された無線タグに、前記受信手段により受信したデータに含まれる無線タグデータを書き込む無線タグ書込手段とを備えたことを特徴とする。
【００１８】
請求項１２記載の通信装置は、請求項１１記載の通信装置において、前記受信手段により受信するデータに含まれる前記無線タグデータのデータサイズに関するサイズ情報を取得するサイズ情報取得手段と、そのサイズ情報取得手段により取得したサイズ情報に従って、前記受信手段により受信したデータに含まれる無線タグデータを特定する無線タグデータ特定手段とを備えることを特徴とする。
【００１９】
請求項１３記載の通信装置は、請求項１２記載の通信装置において、前記受信手段により、画像データと無線タグデータとがページ毎に対応付けられたデータを複数ページ分受信する場合、前記サイズ情報取得手段は、各ページ毎の無線タグデータのデータサイズのうち、最大のデータサイズに相当するサイズ情報を取得することを特徴とする。
【００２０】
なお、複数ページ分のデータを受信したときに、各ページ毎の無線タグデータのデータサイズが均一である場合は、その均一のデータサイズが最大のデータサイズに相当する。
【００２１】
請求項１４記載の通信装置は、請求項１２または１３に記載の通信装置において、前記画像形成手段により画像を形成可能な記録媒体に付加されている無線タグについて、その無線タグの書き込み可能容量を検出する記録媒体検出手段と、その記録媒体検出手段により検出された無線タグの書き込み可能容量と、前記サイズ情報取得手段により取得したサイズ情報とに基づいて、前記画像形成手段により画像を形成し、前記無線タグ書込手段により無線タグデータを書き込む記録媒体を選択する記録媒体選択手段を備えたことを特徴とする。
【００２２】
請求項１５記載の通信装置は、請求項１４記載の通信装置において、前記記録媒体選択手段は、前記サイズ情報取得手段により取得したサイズ情報が、前記受信手段により受信するデータに、前記無線タグデータが含まれないことを示す値であることを条件として、前記無線タグが付加されていない記録媒体、または書き込み可能容量が最も小さい無線タグが付加された記録媒体を、前記画像形成手段により画像を形成する記録媒体として選択するものであることを特徴とする。
【００２３】
請求項１６記載の通信装置は、請求項１２から１５のいずれかに記載の通信装置において、前記記録媒体検出手段により検出された無線タグの書き込み可能容量と、前記サイズ情報取得手段により取得したサイズ情報とに基づいて、前記無線タグデータを書き込み可能な記録媒体があるかを判断する記録媒体有無判断手段と、その記録媒体有無判断手段により、前記無線タグデータを書込可能な記録媒体がないことが判断されると、前記受信手段による受信を拒否する受信拒否手段とを備えたことを特徴とする。
【発明の効果】
【００２４】
請求項１記載の通信装置によれば、読取手段により、原稿の画像データが読み取られ、無線タグ読出手段により、原稿に付加された無線タグから無線タグデータの読み出しが行われ、読取手段により読み取られた画像データと、無線タグ読出手段により読み出された無線タグデータとが対応付けて送信手段により送信される。
【００２５】
よって、請求項１記載の通信装置によれば、原稿に無線タグが付加されている場合、原稿の画像データと無線タグデータとを対応付けて相手先へ送信することができるという効果がある。
【００２６】
請求項２記載の通信装置によれば、請求項１記載の通信装置と同様に作用する上、送信手段による送信の相手先装置に関し、無線タグへ情報を書き込む機能の有無についての機能情報が、機能情報取得手段により取得される。そして、機能情報取得手段により取得した機能情報に基づいて、読取手段により読み取られた画像データと、無線タグ読出手段により読み出した無線タグデータとが、データ処理手段により処理される。
【００２７】
よって、請求項２記載の通信装置によれば、請求項１記載の通信装置の奏する効果に加え、相手先装置が無線タグへ情報を書き込む機能の有するか否かに基づいて画像データと無線タグデータとを処理することができるという効果がある。
【００２８】
請求項３記載の通信装置によれば、請求項２記載の通信装置の奏する効果に加え、機能情報取得手段により取得した機能情報が、無線タグへ情報を書き込む機能有を示すものであることを条件として、データ処理手段は、読取手段により読み取られた画像データと、無線タグ読出手段により読み出した無線タグデータとを対応付けて、送信手段により送信するので、原稿に無線タグが付加されている場合であって、且つ、送信の相手先装置が無線タグへ情報を書き込む機能を有する場合に、原稿の画像データと無線タグデータとを対応付けて、相手先装置へ送信することができるという効果がある。
【００２９】
請求項４記載の通信装置によれば、請求項２または３に記載の通信装置の奏する効果に加え、機能情報取得手段により取得した機能情報が、無線タグへ情報を書き込む機能無しを示すものであることを条件として、データ処理手段は、送信手段による無線タグデータの送信を禁止し、読取手段により読み取られた画像データをメモリに保存するので、無線タグデータを処理できない相手先装置に無線タグデータを送信したために、相手先装置においてエラーが生じることを抑制できるという効果がある。また、読取手段により読み取られた画像データはメモリに保存されるので、読取手段により一旦読み取った画像データが無駄にならないという効果がある。
【００３０】
請求項５記載の通信装置によれば、請求項２または３に記載の通信装置の奏する効果に加え、機能情報取得手段により取得した機能情報が、無線タグへ情報を書き込む機能無しを示すものであることを条件として、データ処理手段は、無線タグ読出手段により読み出した無線タグデータを対応付けずに、読取手段により読み取られた画像データを、送信手段により送信するので、無線タグデータを処理できない相手先装置に無線タグデータを送信したために、相手先装置にエラーが生じることを抑制できるという効果がある。また、読取手段により読み取られた画像データは送信されるので、相手先装置が無線タグへ情報を書き込む機能を有していない場合においても、読取手段により一旦読み取った画像データが無駄にならないという効果がある。
【００３１】
請求項６記載の通信装置によれば、請求項２または３に記載の通信装置の奏する効果に加え、機能情報取得手段により取得した機能情報が、無線タグへ情報を書き込む機能無しを示すものであることを条件として、データ処理手段は、読取手段により読み取られた画像データを送信手段により送信するか、あるいは、読取手段により読み取られた画像データをメモリに保存するかをユーザに問い合わせ、その問い合わせに対するユーザの応答に従って、画像データを処理するので、無線タグデータを処理できない相手先装置に無線タグデータを送信したために、相手先装置にエラーが生じることを抑制できるという効果がある。また、読取手段により読み取られた画像データは、ユーザの要望に応じて処理されるので、読取手段により一旦読み取った画像データが無駄にならないという効果がある。
【００３２】
請求項７記載の通信装置によれば、請求項１から６のいずれかに記載の通信装置の奏する効果に加え、送信手段は、無線タグデータを送信する場合、その無線タグデータを、画像データよりも先に送信するので、対応する画像データに関する重要な情報が無線タグデータに含まれているにも拘わらず、画像データのみが送信されてしまうことを抑制することができるという効果がある。
【００３３】
請求項８記載の通信装置によれば、請求項１から６のいずれかに記載の通信装置の奏する効果に加え、送信手段は、画像データと無線タグデータとを、原稿のページ毎に対応付けて送信するものであり、各無線タグデータを、対応する画像データよりも先に送信する。よって、重要な情報を含む無線タグデータが対応付けられたページであるにも関わらず、画像データのみが送信されてしまうといった不都合の発生を抑制することができるという効果がある。
【００３４】
請求項９記載の通信装置によれば、請求項１から８のいずれかに記載の通信装置の奏する効果に加え、無線タグ読出手段により読み出した無線タグデータのデータサイズに関するサイズ情報が、データサイズ通知手段により送信の相手先装置へ通知されるので、画像データ及び無線タグデータを受信した相手先装置は、サイズ情報に従って、画像データと無線タグデータとを特定し、それぞれを処理することができるという効果がある。
【００３５】
請求項１０記載の通信装置によれば、請求項９記載の通信装置の奏する効果に加え、前記送信手段は、画像データと無線タグデータとを、原稿のページ毎に対応付けて送信するものであり、前記データサイズ通知手段は、１ページ分の原稿に対応する無線タグデータのデータサイズのうち、最大のデータサイズをサイズ情報として通知するので、相手先装置は、最大のデータサイズに従って、画像データと無線タグデータとを特定し、それぞれを処理することができるという効果がある。
【００３６】
請求項１１記載の通信装置によれば、受信手段によりデータが受信され、その受信手段により受信したデータに含まれる画像データに基づいて、画像形成手段により記録媒体に画像が形成される。そして、その画像形成手段により画像が形成される記録媒体に付加された無線タグに、前記受信手段により受信したデータに含まれる無線タグデータが、無線タグ書込手段により書き込まれる。
【００３７】
よって、請求項１１記載の通信装置によれば、受信したデータに画像データと無線タグデータとが含まれる場合、その画像データに基づいて記録媒体に画像を形成し、且つその記録媒体に付加された無線タグに無線タグデータを書き込むことができるという効果がある。
【００３８】
請求項１２記載の通信装置によれば、請求項１１記載の通信装置の奏する効果に加え、受信手段により受信するデータに含まれる無線タグデータのデータサイズに関するサイズ情報が、サイズ情報取得手段により取得され、そのサイズ情報取得手段により取得したサイズ情報に従って、受信手段により受信したデータに含まれる無線タグデータが特定される。よって、受信したデータに画像データと無線タグデータとが含まれる場合、その無線タグデータを特定し、記録媒体に付加された無線タグに書き込むことができるという効果がある。
【００３９】
請求項１３記載の通信装置によれば、請求項１２記載の通信装置の奏する効果に加え、サイズ情報取得手段は、各ページ毎の無線タグデータのデータサイズのうち、最大のデータサイズに相当するサイズ情報を取得するので、その最大のデータサイズに相当するサイズ情報に従って、各ページ毎の無線タグデータを確実に特定し、その無線タグデータを記録媒体に付加された無線タグに書き込むことができるという効果がある。
【００４０】
請求項１４記載の通信装置によれば、請求項１２または１３に記載の通信装置の奏する効果に加え、記録媒体検出手段により検出された無線タグの書き込み可能容量と、サイズ情報取得手段により取得したサイズ情報とに基づいて、画像形成手段により画像を形成し、無線タグ書込手段により無線タグデータを書き込む記録媒体が選択されるので、その記録媒体に付加された無線タグに対し、無線タグデータを確実に書き込むことができるという効果がある。
【００４１】
請求項１５記載の通信装置によれば、請求項１４記載の通信装置の奏する効果に加え、サイズ情報取得手段により取得したサイズ情報が、受信手段により受信するデータに、無線タグデータが含まれないことを示す値であることを条件として、無線タグが付加されていない記録媒体、または書き込み可能容量が最も小さい無線タグが付加された記録媒体が、画像形成手段により画像を形成する記録媒体として選択されるので、必要以上に大容量の無線タグが付加された記録媒体の使用を節約することができるという効果がある。
【００４２】
請求項１６記載の通信装置によれば、請求項１２から１５のいずれかに記載の通信装置の奏する効果に加え、無線タグデータを書込可能な記録媒体がないことが判断されると、受信手段による受信が拒否されるので、書き込み不可能な無線タグデータの蓄積によってメモリフルとなることを抑制できるという効果がある。
【発明を実施するための最良の形態】
【００４３】
以下、本発明の好ましい実施形態について、添付図面を参照して説明する。図１は、本発明の通信装置の一実施形態としてのファクシミリ装置１の模式的な断面図を示す。ファクシミリ装置１は、自動原稿送り装置２と、スキャナ部３と、プリンタ部４と、給紙トレイ部５とを有する。
【００４４】
自動原稿送り装置２は、図示しない原稿挿入口と原稿排出口とを備えている。ファクシミリ送信される原稿はこの自動原稿送り装置２の原稿挿入口に原稿面を下向きにして挿入される。そして、ユーザにより図示しないスタートキーが押下されると、その原稿は１ページずつ送られ、スキャナ部３によるデータの読み取りが行われた後に、原稿排出口から排出される。
【００４５】
スキャナ部３は、無線タグリーダ１５と、スキャナ装置２２とを備える。無線タグリーダ１５は、自動原稿送り装置２により送られてきた原稿に無線タグが付加されていた場合、無線によりその無線タグからデータを読み出すものである。また無線タグの有無に拘わらず、自動原稿送り装置２により送られる原稿の画像データが、スキャナ装置２２により読み取られる。
【００４６】
プリンタ部４は、無線タグライタ１６と、レーザプリンタ３０とを有する。無線タグライタ１６は、給紙トレイ部５から給紙される記録用紙に付加された無線タグに対し、無線によりデータを書き込むものである。レーザプリンタ３０は、イエローのトナーを収納したＹステーション３１、マゼンダのトナーを収納したＭステーション３２、シアンのトナーを収納したＣステーション３３およびブラックのトナーを収納したＫステーション３４を備えると共に、これら各ステーションのトナーを転写ドラム３５に受け渡すための中間転写ベルト３６や、定着用ローラ３７を備えている。このレーザプリンタ３０により画像が形成された記録用紙は、排紙スタッカ３９へ排紙される。
【００４７】
給紙トレイ部５は、３つの給紙トレイ５１，５２，５３を備えている。そして、各給紙トレイ５１，５２，５３には、それぞれ、検出センサ５４が設けられている。この検出センサ５４により、各給紙トレイ５１，５２，５３に収納された記録用紙に、無線タグが付加されているか否か、また無線タグが付加されている場合は、その無線タグの書き込み可能容量が検出される。
【００４８】
図２は、ファクシミリ装置１の電気的構成を示すブロック図である。ファクシミリ装置１には、ＣＰＵ１１、ＲＯＭ１２、ＲＡＭ１３、フラッシュメモリ１４、無線タグリーダ１５、無線タグライタ１６、ネットワーク・コントロール・ユニット（以下、「ＮＣＵ」と称する）１９、モデム２０、バッファ２１、スキャナ装置２２、符号化部２３、復号化部２４、レーザプリンタ３０、検出センサ５４、アンプ２７が備えられ、これらはバスライン２５を介して接続されている。
【００４９】
ファクシミリ装置１のＣＰＵ１１は、回線制御を行うＮＣＵ１９を介して送受信される各種信号に従って、バスライン２５により接続された装置各部を制御してファクシミリ動作、即ち、データ通信を実行するものである。ＲＯＭ１２は、このファクシミリ装置１で実行される制御プログラムを格納した書換不能なメモリである。図５から図８に示されるフローチャートのプログラムはＲＯＭ１２内に格納されている。
【００５０】
ＲＡＭ１３は、ファクシミリ装置１の各動作の実行時に、各種のデータを一時的に記憶するためのメモリであり、送信ファクシミリデータ記憶エリア１３１、無線タグデータサイズ記憶エリア１３２、無線タグデータ送信可能フラグ１３３、受信ファクシミリデータ記憶エリア１３４、無線タグデータ領域サイズ記憶エリア１３５を備える。
【００５１】
図３を参照しつつ、ＲＡＭ１３に記憶される各種データについて説明する。図３（ａ）は、ファクシミリ装置１と、このファクシミリ装置１と同じ構成を有する相手先装置６０との間で行われるファクシミリ送受信を模式的に示す図である。
【００５２】
図３（ａ）に示すように、ファクシミリ装置１からファクシミリ送信しようとする原稿６１には、画像（図形、文字を含む）が形成されると共に、無線タグ６２が埋め込まれている。相手先装置６０へファクシミリ送信すべき原稿６１が自動原稿送り装置２にセットされ、１ページずつ、スキャナ部３による読み取り位置に送られると、スキャナ部３に設けられた無線タグリーダ１５により、原稿６１に付加された無線タグ６２からデータが読み出され、スキャナ装置２２により原稿の画像データが読み取られる。なお、無線タグリーダ１５により無線タグ６２から読み出されるデータを、以下、無線タグデータと称する。
【００５３】
図３（ｂ）は、ファクシミリ装置１において、無線タグリーダ１５により読み出した無線タグデータと、スキャナ装置２２により読み取られた画像データとを結合して作成される１ページ分のファクシミリデータ６３を模式的に示す図である。図３（ｂ）に示されるように、ファクシミリデータ６３は、無線タグデータと画像データとがページ単位で対応付けられたデータである。このようなファクシミリデータ６３を、ファクシミリ装置１と同様の構成を有する相手先装置６０へ送信する場合、相手先装置６０は、ファクシミリデータ６３に含まれる画像データに基づいて、記録用紙７１（図３（ａ）参照）に画像を形成すると共に、その記録用紙７１に付加された無線タグ７２に、ファクシミリデータ６３に含まれる無線タグデータを書き込む。このようにすれば、ファクシミリ装置１からファクシミリ送信した原稿６１の画像と、その原稿６１に付加された無線タグ６２に書き込まれていた無線タグデータとを、相手先装置６０において、記録用紙７１とその記録用紙７１に埋め込まれた無線タグ７２とにページ単位で記録し再現することができる。
【００５４】
また、図３（ｂ）に示すように、１ページ分のファクシミリデータ６３において、画像データよりも先頭側に無線タグデータが格納されている。このようにすれば、ファクシミリ装置１から相手先装置６０へのファクシミリ送信において、通信中に何らかの異常が発生し、ファクシミリ送信が中断された場合であっても、画像データのみが先に送信されてしまうことがない。よって、各ページの無線タグデータを確実にファクシミリ送信することができる。例えば、画像データの取り扱い等に関する重要情報が無線タグデータに書き込まれているにも拘らず、相手先装置６０において無線タグデータが正常に受信されない状態で画像データのみが受信されてしまうと、相手先において画像データが適正に扱われない可能性がある。そのため、無線タグデータを画像データよりも先に確実に送信することが必要である。
【００５５】
また、各ページのファクシミリデータ６３には、一定サイズの無線タグデータ領域６４が確保される。すなわち、無線タグデータのデータサイズが各ページ毎にそれぞれ異なる場合があり得るが、無線タグデータを格納する無線タグデータ領域６４のサイズを一定サイズとしてファクシミリデータ６３を作成すれば、相手先装置６０が、画像データと無線タグデータとの分離処理を容易に行うことができる。
【００５６】
この無線タグデータ領域６４のサイズは、各ページ毎の無線タグデータのうち、最大サイズのデータサイズと同じサイズとされる。このようにすれば、各ページの無線タグデータを確実に格納することができると共に、ファクシミリデータ６３を必要最小限のサイズとすることができる。なお、無線タグデータ領域６４のうち無線タグデータを格納してなお余る領域にはダミーデータを格納して、ファクシミリデータ６３が作成される。
【００５７】
このようにして作成されたファクシミリデータ６３を、ファクシミリ装置１から相手先装置６０へファクシミリ送信する場合、ファクシミリ装置１は、ファクシミリデータ６３の送信に先立ち、無線タグデータ領域６４のサイズをサイズ情報として通知する。
【００５８】
このようにすれば、ファクシミリデータ６３を受信した相手先装置６０では、通知されたサイズ情報に従って、各ファクシミリデータ６３の先頭から、無線タグデータ領域６４を区分することにより、各ページの無線タグデータを特定することができる。
【００５９】
図２に戻り、説明する。送信ファクシミリデータ記憶エリア１３１は、スキャナ装置２２により読み取られた画像データを記憶するエリアである。無線タグデータサイズ記憶エリア１３２は、無線タグリーダ１５によって読み出した無線タグデータとそのデータサイズを、各ページ毎に記憶するエリアである。
【００６０】
無線タグデータ送信可能フラグ１３３は、ファクシミリ送信の相手先装置６０が、無線タグへデータを書き込む機能を有しているか否かを示すフラグである。本実施形態のファクシミリ装置１は、相手先装置６０が無線タグへデータを書き込む機能を有しているか否かに基づいて、ファクシミリ送信処理における画像データおよび無線タグデータを処理するのであるが、詳細は図５を参照して後述する。
【００６１】
受信ファクシミリデータ記憶エリア１３４は、受信したファクシミリデータ６３を記憶するエリアである。無線タグデータ領域サイズ記憶エリア１３５は、ファクシミリデータ６３の送信元ファクシミリ装置から通知された、無線タグデータ領域６４のサイズを記憶するエリアである。
【００６２】
フラッシュメモリ１４は書換可能な不揮発性のメモリであり、送信データ保存メモリ１４１を備える。後述するように、相手先装置６０へのファクシミリデータの送信が禁止された場合、スキャナ装置２２により読み取られた画像データが、この送信データ保存メモリ１４１に保存される。
【００６３】
無線タグリーダ１５は、無線タグからデータを読み出すものであり、無線タグライタ１６は、無線タグへデータを書き込むものである。
【００６４】
図４を参照して、無線タグ６２、無線タグリーダ１５，無線タグライタ１６について説明する。図４（ａ）は、無線タグ６２の電気的構成を示す概略的なブロック図である。なお、図３を参照して説明した記録用紙７１に付加された無線タグ７２は、無線タグ６２と同一の構成を有している。図４（ａ）に示すように、無線タグ６２は、アンテナ用コイル６２１、共振コンデンサ６２２、整流・平滑回路６２３、変復調回路６２４、ＣＰＵ６２５、ＲＯＭ６２６、ＥＥＰＲＯＭ６２７が設けられている。アンテナ用コイル６２１は、共振コンデンサ６２２と並列に接続されて共振回路を構成し、無線タグリーダ１５または無線タグライタ１６から送信される所定の高周波数の電力用電波振動を受信して整流・平滑回路６２３に供給する。
【００６５】
整流・平滑回路６２３は、動力用電源回路を構成するもので、共振回路から送信されてきた電力用電波信号を整流し、平滑化して一定電圧の直流電力にしてＣＰＵ６２５などに供給する。
【００６６】
無線タグリーダ１５または無線タグライタ１６から送信されてくる信号は、電力用電波信号に重畳して送信され、その信号は変復調回路６２４により復調されてＣＰＵ６２５に与えられる。
【００６７】
ＣＰＵ６２５は、ＲＯＭ６２６に記憶された動作プログラムに従って動作し、変復調回路６２４から入力される信号に応じた処理を実行し、受信したデータをＥＥＰＲＯＭ６２７に書き込んだり、ＥＥＰＲＯＭ６２７からデータを読み出して変復調回路６２４により変調し、アンテナ用コイル６２１から電波信号として送信する。
【００６８】
上記構成の無線タグ６２において、整流・平滑回路６２３、変復調回路６２４、ＣＰＵ６２５、ＲＯＭ６２６、ＥＥＰＲＯＭ６２７はＩＣチップとされ、アンテナ用コイル６２１と共に記録用紙に埋め込まれている。
【００６９】
図４（ｂ）は、無線タグリーダ１５と無線タグライタ１６との電気的構成を示す概略的なブロック図である。図４（ｂ）に示すように、無線タグリーダ１５は、受信アンテナ用コイル１５１を備えた受信部１５２が設けられている。無線タグリーダ１６は、送信アンテナ用コイル１６１を備えた送信部１６２が設けられている。
【００７０】
無線タグリーダ１５によれば、無線タグ６２から送信された電波信号については、これを受信アンテナ用コイル１５１で受信し、受信部１５２で復調して無線タグデータとして弁別する。このようにして、無線タグ６２から無線タグデータを読み出すことができる。
【００７１】
無線タグライタ１６によれば、キャリア信号を送信部１６２で変調して電力用電波信号として送信アンテナ用コイル１６１から送信し、その後、送信すべき無線タグデータを電力用電波信号に重畳するように送信部１６２で変調して送信アンテナ用コイル１６１から送信する。これにより無線タグ６２に無線タグデータを書き込むことができる。
【００７２】
図２に戻り説明する。モデム２０は、ファクシミリデータ６３を変調・復調して伝送すると共に伝送制御用の各種手順信号を送受信するものであり、バッファ２１は、相手側ファクシミリ装置との間で送受信される符号化されたファクシミリデータを含むデータを一時的に格納するものである。
【００７３】
符号化部２３はファクシミリデータ６３の符号化を行うものである。復号化部２４は、バッファ２１に記憶された受信データを読み出して、これを復号化するものである。アンプ２７にはスピーカ２８が接続され、呼出音などをこのスピーカ２８から出力するためのものである。
【００７４】
このように構成されたファクシミリ装置１は、ＮＣＵ１９を介して、電話回線３１に接続されている。この電話回線３１は、本ファクシミリ装置１の交換機２９に接続され、この交換機２９は電話回線３２を介して、相手先装置側の交換機に接続され、更に電話回線を介して相手先装置に接続されている。
【００７５】
次に、図５を参照して、上記のように構成されたファクシミリ装置１のファクシミリ送信処理の動作を説明する。図５は、ファクシミリ送信処理を示すフローチャートである。このファクシミリ送信処理は、自動原稿送り装置２の原稿挿入口に原稿が挿入してセットされ、相手先装置のファクシミリ番号が入力され、図示しないスタートキーがユーザによって押下された場合に実行される処理である。
【００７６】
まず、自動原稿送り装置２により１ページ分の原稿を送り（Ｓ２）、無線タグリーダ１５によって原稿の無線タグ６２を検出する（Ｓ４）。次に、無線タグデータがあるか否かを判断する（Ｓ６）。原稿に無線タグ６２が付加されていない場合、あるいは原稿に無線タグ６２が付加されているがデータが書き込まれていない場合、無線タグデータがないと判断され（Ｓ６：Ｎｏ）、Ｓ１２の処理に移行する。
【００７７】
一方、無線タグデータがある場合、すなわち、原稿に無線タグ６２が付加され、且つその付加された無線タグ６２にデータが書き込まれていた場合（Ｓ６：Ｙｅｓ）、無線タグリーダ１５によって、無線タグデータを読み出す（Ｓ８）。次に読み出した無線タグデータとそのデータサイズを、ページ毎に無線タグデータサイズ記憶エリア１３２に記憶する（Ｓ１０）。次に、スキャナ装置２２によって、原稿の画像データを読み取り、ページ毎に送信ファクシミリデータ記憶エリア１３１に記憶する（Ｓ１２）。
【００７８】
次に、原稿を全ページ読み取ったか否かを判断し（Ｓ１４）、未だ全ページを読み取っていない場合（Ｓ１４：Ｎｏ）、Ｓ１の処理に戻る。
【００７９】
このようにして１ページずつ処理を繰り返すうちに、原稿を全ページ読み取ると（Ｓ１４：Ｙｅｓ）、無線タグデータサイズ記憶エリア１３２を参照し、読み出した無線タグデータのうち、最大のデータサイズを決定する（Ｓ１６）。そして、原稿の各ページ毎に無線タグデータと画像データとをそれぞれの記憶エリアから読み出して結合し、ファクシミリデータ６３（図３（ｂ）参照）をページ単位で作成する（Ｓ１８）。ここで作成されるファクシミリデータ６３には、Ｓ１６の処理で決定した、無線タグデータの最大データサイズに相当するサイズの無線タグデータ領域６４が確保されている。そして、無線タグデータが検出されたページのファクシミリデータ６３においては、その無線タグデータ領域６４に無線タグデータが格納される。なお、ファクシミリデータ６３は、例えば、ＲＡＭ１３内の図示しない送信バッファにページ単位で順次記憶される。
【００８０】
なお、読み取った原稿に、無線タグデータが検出されたページと検出されなかったページとが混在していた場合、無線タグデータが検出されなかったページについては、無線タグデータ領域６４にダミーデータのみが格納される。また、原稿のいずれのページからも無線タグデータが検出されなかった場合、無線タグデータの最大データサイズとしては、「０」が決定されて、無線タグデータ領域６４を有さないファクシミリデータ６３が作成される。
【００８１】
図６を参照して、ファクシミリ送信処理の続きを説明する。図６は、ファクシミリ送信処理を示すものであり、図５に示すファクシミリ送信処理の続きの処理を示すフローチャートである。
【００８２】
まず、発呼を開始し（Ｓ２０）、相手先装置６０との通信を開始する。次に、相手先装置６０からＮＳＦ信号を受信したか否かを判断する（Ｓ２２）。このＮＳＦ信号は、受信側装置から送信側装置へ送出されるファクシミリ制御信号であって、相手先装置６０が有している非標準の機能、すなわちメーカ独自機能を相手先装置６０からファクシミリ装置１へ通知するための信号である。なお、このＮＳＦ信号が請求の範囲に記載の「機能情報」の一例に相当する。ＮＳＦ信号を受信しない間（Ｓ２２：Ｎｏ）、処理を待機するが、ＮＳＦ信号を受信すると（Ｓ２２：Ｙｅｓ）、次に、受信したＮＳＦ信号に基づいて、相手先装置６０が無線タグへ情報を書き込む機能を有するか否かを判断する（Ｓ２４）。
【００８３】
そして、相手先装置６０が無線タグへ情報を書き込む機能を有する場合（Ｓ２４：Ｙｅｓ）、無線タグデータ送信可能フラグ１３３をオンとする（Ｓ２６）。一方、相手先装置６０が無線タグへ情報を書き込む機能を有しない場合（Ｓ２４：Ｎｏ）、無線タグデータ送信可能フラグ１３３をオフとする（Ｓ２８）。
【００８４】
そして、送信すべきファクシミリデータ６３に、無線タグデータが含まれているか否かを判断する（Ｓ３０）。無線タグデータが含まれていない場合（Ｓ３０：Ｎｏ）、次に、無線タグデータ送信可能フラグ１３３がオンか否かを判断する（Ｓ３２）。無線タグデータ送信可能フラグ１３３がオンである場合（Ｓ３２：Ｙｅｓ）、ＮＳＳ信号を相手先装置６０へ送信する（Ｓ３４）。このＮＳＳ信号は、送信側装置から受信側装置へ送出されるファクシミリ制御信号であって、送信側装置が有している非標準の機能に関する設定を、相手先装置へ通知するための信号である。
【００８５】
本実施形態のファクシミリ装置１は、ファクシミリデータ６３に設けられた無線タグデータ領域６４のサイズを、ＮＳＳ信号によって、相手先装置６０へ通知するのであるが、ここでは、送信すべきファクシミリデータ６３に無線タグデータが含まれていない場合であるので、「無線タグデータ領域サイズ＝０」をＮＳＳ信号により通知する（Ｓ３４）。なお、このＮＳＳ信号により通知される無線タグデータ領域のサイズが、請求の範囲に記載の「サイズ情報」の一例に相当する。
【００８６】
一方、無線タグデータ送信可能フラグ１３３がオフである場合（Ｓ３２：Ｎｏ）、Ｓ３４の処理をスキップする。
【００８７】
次に、１ページ分のファクシミリデータ６３を送信する（Ｓ３６）。ここで送信するファクシミリデータ６３は、無線タグデータ領域サイズが「０」であって、無線タグデータを含まないファクシミリデータ６３である。
【００８８】
そして、全ページの処理を終了するまで（Ｓ３８：Ｎｏ）、Ｓ３６の処理を繰り返す。このようにして処理を繰り返すうちに全ページの処理を終了すると（Ｓ３８：Ｙｅｓ）、ファクシミリ送信処理を終了する。このように、原稿６１から無線タグデータが検出されなかった場合は、通常のファクシミリ送信と同様に、スキャナ装置２２で読み取った画像データが送信される。
【００８９】
次に、無線タグデータ有りの場合（Ｓ３０：Ｙｅｓ）について説明する。無線タグデータ有りの場合は、以下のＳ４２からＳ５８の処理で説明するように、無線タグデータ送信可能フラグ１３３がオンであるかオフであるか否かによって、画像データと、無線タグデータとが異なる処理がされる。
【００９０】
まず、無線タグデータ送信可能フラグ１３３がオンか否かを判断する（Ｓ４０）。無線タグデータ送信可能フラグ１３３がオンである場合（Ｓ４０：Ｙｅｓ）、無線タグデータサイズ記憶エリア１３２（図２参照）に記憶されたデータサイズを調べ、無線タグデータのデータサイズが各ページ毎に一定か否かを判断する（Ｓ４２）。
【００９１】
無線タグデータのデータサイズが一定である場合（Ｓ４２：Ｙｅｓ）、ＮＳＳ信号を相手先装置６０へ送信し、その一定のサイズを相手先装置６０へ通知する（Ｓ４４）。一方、無線タグデータのデータサイズが、一定ではない場合（Ｓ４２：Ｎｏ）、ＮＳＳ信号を相手先装置６０へ送信し、最大のデータサイズを相手先装置６０へ通知する（Ｓ４６）。このようにすれば、相手先装置６０へ、無線タグデータ領域６４のサイズを通知することができる。
【００９２】
このように、無線タグデータ領域６４のサイズが、ファクシミリデータ６３の送信に先立って、相手先装置６０へ通知されるので、ファクシミリデータ６３を受信した相手先装置６０は、先に通知されていた無線タグデータ領域６４のサイズに従って、画像データと無線タグデータを処理することができる。
【００９３】
次に、１ページ分のファクシミリデータ６３を送信する（Ｓ４８）。ここで送信するファクシミリデータ６３は、無線タグデータ領域６４に無線タグデータが格納され、画像データと無線タグデータとが原稿のページ毎に対応付けられたデータである。
【００９４】
そして、全ページの処理を終了するまで（Ｓ５０）、Ｓ４８の処理を繰り返す。このようにして、全ページの処理を終了すると（Ｓ５０：Ｙｅｓ）、ファクシミリ送信処理を終了する。
【００９５】
次に、無線タグデータ有りの場合（Ｓ３０：Ｙｅｓ）であって、且つ、無線タグデータ送信可能フラグ１３３がオフの場合（Ｓ４０：Ｎｏ）について説明する。本実施形態のファクシミリ装置１では、無線タグデータ送信可能フラグ１３３がオフの場合、すなわち、相手先装置６０が無線タグデータを書き込む機能を有していない場合、ファクシミリ装置１から相手先装置６０への無線タグデータの送信を禁止する。このようにすれば、無線タグデータを処理できない相手先装置６０に無線タグデータを送信したために生じる、相手先装置６０のエラーを防止することができる。
【００９６】
そして、無線タグデータ無しでの画像データの送信が許可されているか否かを判断する（Ｓ５２）。この判断は、例えば、ファクシミリ装置１において、予めユーザがした設定に基づいて判断することとしても良いし、また、無線タグデータ内に記録された設定に従って判断することとしても良い。
【００９７】
すなわち、無線タグデータおよび画像データの内容によっては、無線タグデータ無しで画像データのみ送信しても良い場合があり得る。この場合、画像データのみ送り、無線タグデータは送らないこととすれば、一旦読み込んだ画像データが無駄にならず、作業の効率が良い。
【００９８】
一方、無線タグデータが重要な内容を含んでいる場合などは、無線タグデータ無しで画像データを送信すると好ましくない。よって、本実施形態のファクシミリ装置１では、ユーザの所望に沿って、無線タグデータ無しで送信するか否かを決定している。
【００９９】
無線タグデータ無しでの送信が許可されない場合（Ｓ５２：Ｎｏ）、そのページの無線タグデータの送信を禁止し、ファクシミリデータ６３を相手先装置６０のファクシミリ番号と対応付けて、送信データ保存メモリ１４１に保存する（Ｓ５６）。このようにすれば、スキャナ装置２２により読み取った画像データが無駄にならない。なお、この場合、ファクシミリデータ６３の保存に替えて、画像データのみを送信データ保存メモリ１４１に保存するように構成しても良い。
【０１００】
一方、無線タグデータ無し送信が許可されている場合（Ｓ５２：Ｙｅｓ）、そのページについては、無線タグデータの送信を禁止すると共に、画像データを送信する（Ｓ５４）。すなわち、無線タグデータを対応付けずに、画像データのみを送信する。このようにすれば、送信データ保存メモリ１４１には、無線タグデータ無し送信が許可されてないページのみ保存されるので、メモリの使用量を節約することができる。
【０１０１】
そして、全ページの処理を終了するまで（Ｓ５８）、Ｓ５２から処理を繰り返す。このようにして処理を繰り返すうちに、全ページの処理を終了すると（Ｓ５８：Ｙｅｓ）、ファクシミリ送信処理を終了する。
【０１０２】
ファクシミリ送信処理によれば、原稿６１に無線タグ６２が付加されている場合、原稿６１の画像データと無線タグデータとを対応付けて送信することができる。
【０１０３】
また、相手先装置６０が、無線タグデータを書き込む機能を有しているか否かに基づいて、画像データと無線タグデータとを処理しているので、相手先装置６０の機種に拘わらず、適切な送信処理を行うことができる。
【０１０４】
次に、図７を参照して、ファクシミリ装置１のファクシミリ受信処理の動作を説明する。図７は、ファクシミリ受信処理を示すフローチャートである。このファクシミリ受信処理は、着信があり、送信元ファクシミリ装置（図示せず）との間に通信が開始されると実行される処理である。
【０１０５】
まず、送信元ファクシミリ装置にＮＳＦ信号を送信する（Ｓ６２）。このＮＳＦ信号により、ファクシミリ装置１が有している非標準の機能、すなわちファクシミリ装置１が無線タグデータ書き込み機能を有することを、送信元ファクシミリ装置へ通知する。
【０１０６】
次に、ＮＳＳ信号を受信するまで待機する（Ｓ６４）。ＮＳＳ信号を受信すると（Ｓ６４：Ｙｅｓ）、ＮＳＳ信号に含まれる、無線タグデータ領域サイズを取得し、無線タグデータ領域サイズ記憶エリア１３５（図２参照）に記憶する（Ｓ６８）。
【０１０７】
次に、各給紙トレイ５１，５２，５３内にセットされた記録用紙７１に付加されている無線タグ７２の書き込み可能容量を、検出センサ５４（図１参照）により検出する（Ｓ７０）。そして、検出された無線タグ７２の書き込み可能容量と、取得した無線タグデータ領域サイズとを比較し、無線タグ７２の書き込み可能容量が、無線タグデータ領域サイズ以上である記録用紙７１があるか否かを判断する。すなわち、各ページの無線タグデータを書き込むことができる記録用紙７１が給紙トレイ５１，５２，５３のいずれかにセットされているか否かを判断する（Ｓ７２）。
【０１０８】
無線タグ７２の書き込み可能容量が、無線タグデータ領域サイズ以上となる記録用紙７１が、いずれの給紙トレイ５１，５２，５３にもない場合（Ｓ７２：Ｎｏ）、ファクシミリ装置１から送信元ファクシミリ装置へＤＣＮ信号を送信し（Ｓ７４）、処理を終了する。このＤＣＮ信号を送信元ファクシミリ装置が受信すると、送信元ファクシミリ装置ではデータの送信を中断するので、これ以上のデータの受信を拒否することができる。したがって、書き込み不可能な無線タグデータの蓄積によって、ファクシミリ装置１がメモリフルの状態となることを抑制できる。
【０１０９】
一方、無線タグ７２の書き込み可能容量が、無線タグデータ領域サイズ以上となる記録用紙７１がある場合（Ｓ７２：Ｙｅｓ）、１ページ分のファクシミリデータ６３を送信元ファクシミリ装置から受信し、受信ファクシミリデータ記憶エリア１３４に記憶する（Ｓ７６）。そして、全ページを受信したか否かを判断し（Ｓ７８）、全ページを受信しない間（Ｓ７８：Ｎｏ）、Ｓ７６の処理を繰り返す。なお、ファクシミリデータ６３に無線タグデータが含まれている場合には、無線タグデータを含めて受信ファクシミリデータ記憶エリア１３４に受信したデータが記憶される。
【０１１０】
このようにして処理を繰り返すうちに、全ページのファクシミリデータ６３を受信すると（Ｓ７８：Ｙｅｓ）、図８に示す次の処理に移行する。
【０１１１】
図８は、ファクシミリ受信処理を示すものであり、図７に示すファクシミリ受信処理の続きの処理を示すフローチャートである。
【０１１２】
まず、無線タグデータ領域サイズが「０」であるか否かを判断する（Ｓ８２）。無線タグデータ領域サイズ「０」である場合（Ｓ８２：Ｙｅｓ）、すなわち、受信したファクシミリデータ６３に、無線タグデータが含まれないことを示す値である場合、無線タグ７２が付加されていない記録用紙７１があるか否かを判断する（Ｓ８４）。無線タグ７２が付加されていない記録用紙７１がある場合（Ｓ８４：Ｙｅｓ）、無線タグ７２が付加されていない記録用紙７１を選択する（Ｓ８６）。
【０１１３】
一方、無線タグ７２が付加されていない記録用紙７１がない場合（Ｓ８４：Ｎｏ）、書込可能容量が最も小さい無線タグ７２が付加された記録用紙７１を選択する（Ｓ８８）。このようにすれば、必要以上に大容量の無線タグ７２が付加された記録用紙７１の使用を節約することができる。
【０１１４】
また、無線タグデータ領域サイズが「０」でない場合（Ｓ８２：Ｎｏ）、すなわち、受信したファクシミリデータ６３の各々が、無線タグデータ領域６４を有する場合、無線タグ７２の書き込み可能容量が、無線タグデータ領域サイズ以上である記録用紙７１が複数種類あるか否かを判断する（Ｓ９０）。
【０１１５】
無線タグ７２の書き込み可能容量が、無線タグデータ領域サイズ以上となる記録用紙７１が複数種類ある場合（Ｓ９０：Ｙｅｓ）、その複数種類の記録用紙のうち、無線タグ７２の書き込み可能容量が最小の記録用紙７１を選択する（Ｓ９２）。このようにすれば、必要以上に大容量の無線タグ７２が付加された記録用紙７１の使用を節約しつつ、各ページの無線データを確実に書き込むことができる記録用紙７１を選択することができる。
【０１１６】
一方、無線タグ７２の書き込み可能容量が、無線タグデータ領域サイズ以上となる記録用紙が１種類のみであった場合（Ｓ９０：Ｎｏ）、その１種類の記録用紙を選択する（Ｓ９４）。
【０１１７】
次に、Ｓ８６，Ｓ８８，Ｓ９２，Ｓ９４のいずれかの処理で選択された記録用紙７１を、給紙トレイ５１，５２，５３から無線タグデータ書き込み位置へ給紙する（Ｓ９６）。そして、無線タグデータ領域サイズに従って、１ページ分のファクシミリデータ６３に含まれる無線タグデータを特定する（Ｓ９８）。そして、給紙された記録用紙７１に付加された無線タグ７２に、無線タグライタ１６によって、１ページ分の無線タグデータを書き込む（Ｓ１００）。
【０１１８】
次に、レーザプリンタ３０により、ファクシミリデータ６３に含まれる画像データに基づいて、給紙された記録用紙７１に画像を形成する（Ｓ１０２）。次に、全ページ分のファクシミリデータ６３の処理を完了したか否かを判断する（Ｓ１０４）。未だ全ページの処理を完了していない場合（Ｓ１０４：Ｎｏ）、Ｓ９６から処理を繰り返す。一方、全ページの処理を完了すると（Ｓ１０４：Ｙｅｓ）、ファクシミリ送信処理を終了する。
【０１１９】
ファクシミリ受信処理によれば、送信元ファクシミリ装置からファクシミリ送信した原稿６１の画像と、その原稿６１に付加された無線タグ６２に書き込まれていた無線タグデータとを、ファクシミリ装置１において、記録用紙７１とその記録用紙７１に埋め込まれた無線タグ７２とにページ単位で再現することができる。
【０１２０】
以上、実施形態に基づき本発明を説明したが、本発明は上述した実施形態に何ら限定されるものではなく、本発明の趣旨を逸脱しない範囲内で種々の改良変更が可能であることは容易に推察できるものである。
【０１２１】
例えば、図６を参照して説明した実施形態のファクシミリ送信処理では、ファクシミリ装置１の設定または無線タグデータ内の設定に従って、無線タグデータ無しでの画像データの送信が許可されているか否かを判断することとした（Ｓ５２）。これに替えて、無線タグデータ送信可能フラグがオフである場合（Ｓ４０）、無線タグデータ無しで画像データを送信するか、あるいは画像データを送信せずに送信データ保存メモリ１４１に保存するかを問い合わせる画面を、操作パネルの表示部に表示し、その問い合わせに対するユーザの応答に従って、画像データを処理するように構成しても良い。
【０１２２】
また、上述した実施形態のファクシミリ装置１では、サイズ情報として、無線タグデータ領域６４のサイズを送信していたが、ファクシミリデータ６３から無線タグデータを特定することができるサイズ情報であれば良く、例えば、無線タグデータのデータサイズを各ページ毎に相手先装置６０へ送信するように構成しても良い。
【０１２３】
また、上述した実施形態のファクシミリ装置１では、無線タグリーダ１５、無線タグライタ１６，スキャナ装置２２、レーザプリンタ３０が全てファクシミリ装置１の内部構成として設けられていたが、これらがファクシミリ装置１に対し、ケーブルなどを介して接続された外付けの構成であっても良い。
【０１２４】
また、上述した実施形態のファクシミリ装置１では、自動原稿送り装置２によって原稿６１の画像データが読み取られるものとして説明したが、フラットベッド方式で画像データを読み取るファクシミリ装置にも、本発明が適用できることはもちろんである。
【図面の簡単な説明】
【０１２５】
【図１】本発明の通信装置の一実施形態としてのファクシミリ装置の模式的な断面図を示す。
【図２】ファクシミリ装置の電気的構成を示すブロック図である。
【図３】（ａ）は、ファクシミリ装置と相手先装置との間で行われるファクシミリ送受信を模式的に示す図であり、（ｂ）は、無線タグデータと画像データとから作成される１ページ分のファクシミリデータを模式的に示す図である。
【図４】（ａ）は、無線タグの電気的構成を示す概略的なブロック図であり、（ｂ）は、無線タグリーダと無線タグライタとの電気的構成を示す概略的なブロック図である。
【図５】ファクシミリ送信処理を示すフローチャートである。
【図６】図５に示すファクシミリ送信処理の続きの処理を示すフローチャートである。
【図７】ファクシミリ受信処理を示すフローチャートである。
【図８】図７に示すファクシミリ受信処理の続きの処理を示すフローチャートである。
【符号の説明】
【０１２６】
１                              ファクシミリ装置（通信装置）
１５                            無線タグリーダ（無線タグ読出手段）
１６                            無線タグライタ（無線タグ書込手段）
２２                            スキャナ装置（読取手段）
３０                            レーザプリンタ（画像形成装置）
５４                            検出センサ（記録媒体検出手段）
６０                            相手先装置
６１                            原稿
６２                            無線タグ
７１                            記録用紙（記録媒体の一例）
７２                            無線タグ
Ｓ２４                          機能情報取得手段
Ｓ４２〜Ｓ５８                  データ処理手段
Ｓ４４，Ｓ４６                  データサイズ通知手段
Ｓ４８                          送信手段
Ｓ６８                          サイズ情報取得手段
Ｓ７４                          受信拒否手段
Ｓ７６                          受信手段
Ｓ８６，Ｓ８８，Ｓ９２，Ｓ９４  記録媒体選択手段
Ｓ９０                          記録媒体有無判断手段
Ｓ９８                          無線タグデータ特定手段
【図１】
2008211710.tif 000003
【図２】
2008211710.tif 000004
【図３】
2008211710.tif 000005
【図４】
2008211710.tif 000006
【図５】
2008211710.tif 000007
【図６】
2008211710.tif 000008
【図７】
2008211710.tif 000009
【図８】
2008211710.tif 000010